(57)【要約】【課題】ビューファインダモードとプロジェクタモードを切り替える機能を備えた、使い勝手の良い、小型の表示装置及び電子カメラを提供する。【解決手段】ビューファインダ筐体２をカメラ本体１に対して着脱可能及び取り付け方向選択可能に構成し、ビューファインダ筐体２のカメラ本体１に対する取り付け方向に応じてビューファインダモードとプロジェクタモードが切り替わるように構成する。カメラ本体１の表示部４から出射された画像光は、窓部８を介してビューファインダ筐体２の内部へ入射し、ミラー５で反射されてレンズ６に入射し、レンズ６で拡大されてビューファインダ筐体２の外部へ出射する。観察者は、その出射された画像光を、ビューファインダモードでは直接観察し、プロジェクタモードではスクリーン等を介して間接的に観察する。【選択図】図１
2018173569.tif 000002
【特許請求の範囲】
【請求項１】
画像光を出射する表示素子と、当該表示素子から出射された前記画像光を外部へ出射させる出射用窓部と、を備えた表示装置本体と、
前記出光用窓部から出射された前記画像光を内部へ入射させる入光用窓部と、当該入光用窓部から入射された前記画像光を所定の方向へ案内する案内光学系と、当該案内光学系により案内された前記画像光を外部へ出射させる出射用窓部と、を備えた光学系筐体と、
前記光学系筐体を前記表示装置本体に対して着脱可能及び取り付け方向選択可能に取り付ける取り付け機構とを有し、
前記光学系筐体の前記出射用窓部からビューファインダ用の画像光を出射させるビューファインダモードと、前記光学系筐体の前記出射用窓部からプロジェクタ用の画像光を出射させるプロジェクタモードとが、前記表示装置本体に対する前記光学系筐体の取り付け方向に応じて切り替わる、
ことを特徴とする表示装置。
【請求項２】
前記プロジェクタモードにおいて前記光学系筐体の前記出射用窓部から出射される画像光の輝度は、前記ビューファインダモードにおいて前記光学系筐体の前記出射用窓部から出射される画像光の輝度よりも高いことを特徴とする請求項１に記載の表示装置。
【請求項３】
前記表示装置本体は、前記ビューファインダモードにおいて前記画像光として利用される光を出射するビューファインダ用光源と、前記プロジェクタモードにおいて前記画像光として利用される光を出射するプロジェクタ用光源を有することを特徴とする請求項１又は２に記載の表示装置。
【請求項４】
前記プロジェクタ用光源と前記ビューファインダ用光源は、互いに共用される単一の光源であることを特徴とする請求項３に記載の表示装置。
【請求項５】
前記ビューファインダモードと前記プロジェクタモードとは、前記表示装置本体に対する前記光学系筐体の取り付け方向に応じて自動的に切り替わることを特徴とする請求項１〜４の何れか一つに記載の表示装置。
【請求項６】
前記ビューファインダモードと前記プロジェクタモードとは、前記光学系筐体の一部が前記表示装置本体に係合することにより、自動的に切り替わることを特徴とする請求項５に記載の表示装置。
【請求項７】
前記光学系筐体は、前記ビューファインダモードにおいて前記画像光の倍率を変化させる接眼レンズと、前記プロジェクタモードにおいて前記画像光の倍率を変化させる投射レンズとを有することを特徴とする請求項１〜６の何れか一つに記載の表示装置。
【請求項８】
前記表示装置本体は、前記ビューファインダモードと前記プロジェクタモードのうち少なくとも一方に関する所定の情報を表示する表示部を有することを特徴とする請求項１〜７の何れか一つに記載の表示装置。
【請求項９】
前記情報は、前記画像光の光学的特性を示す情報であることを特徴とする請求項８に記載の表示装置。
【請求項１０】
前記光学系筐体は、前記入光用窓部として第一入射用窓部と第二入射用窓部とを備え、前記出射用窓部として第一出射用窓部と第二出射用窓部とを備え、前記案内光学系として前記第一入射用窓部から入射された前記画像光を前記第一出射用窓部へ向けて反射する第一反射面と前記第二入射用窓部から入射された前記画像光を前記第二出射用窓部へ向けて反射する第二反射面とが表裏一体的に形成された両面ミラーを備え、前記ビューファインダモードにおいては、前記表示装置本体の前記出射用窓部から出射された前記画像光が前記第一入射用窓部と前記第二入射用窓部のうち一方から入射し、前記プロジェクタモードにおいては、前記表示装置本体の前記出射用窓部から出射された前記画像光が前記第一入射用窓部と前記第二入射用窓部のうち他方から入射するように、前記表示装置本体に対して前記光学系筐体が着脱可能及び取り付け方向選択可能とされている、ことを特徴とする請求項１〜９の何れか一つに記載の表示装置。
【請求項１１】
請求項１〜１０の何れか一つに記載の表示装置を備えたことを特徴とする電子カメラ。
【発明の詳細な説明】
【技術分野】
【０００１】
本発明は表示装置及び電子カメラに関するものである。
【背景技術】
【０００２】
ビューファインダ機能とプロジェクタ機能を切り替えて使用することが可能な表示装置が知られている。図５は従来の表示装置を側面から見た縦断面図で、表示装置をビューファインダモードで使用する状態を示している。図６は従来の表示装置を側面から見た縦断面図で、表示装置をプロジェクタモードで使用する状態を示している。従来の表示装置は、光源部１２、偏光板１４、透過型液晶素子４１、反射ミラー４２、および２系統のレンズ（接眼レンズ２１、投射レンズ２２）を有し、さらに、光源部１２から出射される光の光軸（ＡＸ）と直交する軸を回転軸として反射ミラー４２を回転させるミラー回転機構を有している。
【０００３】
従来の表示装置をビューファインダモードで動作させる場合には、図５に示すように、ダイヤル操作により、反射ミラー４２を接眼レンズ２１側に反射面が向くように回転させる。照明部１２から発光された照明光は、偏光板１４で直線偏光に変換されて透過型液晶素子４１へ入射される。透過型液晶素子４１は、制御回路から供給される駆動信号によって駆動され、たとえば、Ｓ偏光成分である変調光を反射ミラー４２へ向けて射出する。反射ミラー４２は変調光を反射（直角に折り曲げる）し、接眼レンズ２１へ向けて導く。これにより、観察者は、変調光が形成する画像を接眼レンズ２１を通して観察することができる。
【０００４】
一方、従来の表示装置をビューファインダモードで動作させる場合には、図６に示すように、ダイヤル操作により、反射ミラー４２を投射レンズ２２側に反射面が向くように回転させる。照明部１２から発光された照明光は、偏光板１４で直線偏光に変換されて透過型液晶素子４１へ入射される。透過型液晶素子４１は、制御回路から供給される駆動信号によって駆動され、たとえば、Ｓ偏光成分である変調光を反射ミラー４２へ向けて射出する。反射ミラー４２は変調光を反射（直角に折り曲げる）し、投射レンズ２２へ向けて導く。これにより、観察者は、投射レンズ２２を通してスクリーン上に投影された画像を観察することができる。
【０００５】
以上の構成によれば、１つの光源部１２および１つの透過型液晶素子４１をプロジェクタおよびビューファインダ間で共用できるため、小型で低コストの表示装置を提供することができる。（特許文献１参照）
【先行技術文献】
【特許文献】
【０００６】
【特許文献１】特開２００７−１９３１７８
【発明の概要】
【発明が解決しようとする課題】
【０００７】
しかしながら、従来の表示装置では、ビューファインダモードとプロジェクタモードを切り替えるために、反射ミラー４２を回転させるミラー回転機構が必要であり、また、接眼レンズ２１と投射レンズ２２の２つが表示装置本体に一体的に組み込まれているため、その分、表示装置が大型化するという問題がある。
【０００８】
また、接眼レンズ２１と投射レンズ２２は、表示装置本体に一体的に組み込まれており、表示装置本体に対して向きを変えることができないため、使用状況によっては使い勝手が悪いという問題がある。このような状況としては、例えば、ユーザーが表示装置本体を操作する向きに対して、接眼レンズ２１又は投射レンズ２２の向きを任意に変えたい場合などが挙げられる。
【０００９】
本発明は、以上のような問題に鑑みたもので、ビューファインダモードとプロジェクタモードを切り替える機能を備えた、使い勝手の良い、小型の表示装置及び電子カメラを提供することを目的とする。
【課題を解決するための手段】
【００１０】
画像光を出射する表示素子と、当該表示素子から出射された前記画像光を外部へ出射させる出射用窓部と、を備えた表示装置本体と、前記出光用窓部から出射された前記画像光を内部へ入射させる入光用窓部と、当該入光用窓部から入射された前記画像光を所定の方向へ案内する案内光学系と、当該案内光学系により案内された前記画像光を外部へ出射させる出射用窓部と、を備えた光学系筐体と、前記光学系筐体を前記表示装置本体に対して着脱可能及び取り付け方向選択可能に取り付ける取り付け機構とを有し、前記光学系筐体の前記出射用窓部からビューファインダ用の画像光を出射させるビューファインダモードと、前記光学系筐体の前記出射用窓部からプロジェクタ用の画像光を出射させるプロジェクタモードとが、前記表示装置本体に対する前記光学系筐体の取り付け方向に応じて切り替わる表示装置とする。
【００１１】
前記プロジェクタモードにおいて前記光学系筐体の前記出射用窓部から出射される画像光の輝度は、前記ビューファインダモードにおいて前記光学系筐体の前記出射用窓部から出射される画像光の輝度よりも高い表示装置であっても良い。
【００１２】
前記表示装置本体は、前記ビューファインダモードにおいて前記画像光として利用される光を出射するビューファインダ用光源と、前記プロジェクタモードにおいて前記画像光として利用される光を出射するプロジェクタ用光源を有する表示装置であっても良い。
【００１３】
前記プロジェクタ用光源と前記ビューファインダ用光源は、互いに共用される単一の光源である表示装置であっても良い。
【００１４】
前記ビューファインダモードと前記プロジェクタモードとは、前記表示装置本体に対する前記光学系筐体の取り付け方向に応じて自動的に切り替わる表示装置であっても良い。
【００１５】
前記ビューファインダモードと前記プロジェクタモードとは、前記光学系筐体の一部が前記表示装置本体に係合することにより、自動的に切り替わる表示装置であっても良い。
【００１６】
前記光学系筐体は、前記ビューファインダモードにおいて前記画像光の倍率を変化させる接眼レンズと、前記プロジェクタモードにおいて前記画像光の倍率を変化させる投射レンズとを有する表示装置であっても良い。
【００１７】
前記表示装置本体は、前記ビューファインダモードと前記プロジェクタモードのうち少なくとも一方に関する所定の情報を表示する表示部を有する表示装置であっても良い。
【００１８】
前記情報は、前記画像光の光学的特性を示す情報である表示装置であっても良い。
【００１９】
前記光学系筐体は、前記入光用窓部として第一入射用窓部と第二入射用窓部とを備え、前記出射用窓部として第一出射用窓部と第二出射用窓部とを備え、前記案内光学系として前記第一入射用窓部から入射された前記画像光を前記第一出射用窓部へ向けて反射する第一反射面と前記第二入射用窓部から入射された前記画像光を前記第二出射用窓部へ向けて反射する第二反射面とが表裏一体的に形成された両面ミラーを備え、前記ビューファインダモードにおいては、前記表示装置本体の前記出射用窓部から出射された前記画像光が前記第一入射用窓部と前記第二入射用窓部のうち一方から入射し、前記プロジェクタモードにおいては、前記表示装置本体の前記出射用窓部から出射された前記画像光が前記第一入射用窓部と前記第二入射用窓部のうち他方から入射するように、前記表示装置本体に対して前記光学系筐体が着脱可能及び取り付け方向選択可能とされている表示装置であっても良い。
【００２０】
上述の何れか一つの表示装置を備えた電子カメラであっても良い。
【発明の効果】
【００２１】
本発明によれば、ビューファインダモードとプロジェクタモードを切り替える機能を備えた、使い勝手の良い、小型の表示装置及び電子カメラを提供することができる。
【図面の簡単な説明】
【００２２】
【図１】本発明の第一の実施例による電子カメラを側面から見た縦断面図で、ビューファインダモードで使用する状態を示している。
【図２】本発明による電子カメラを側面から見た縦断面図で、プロジェクタモードで使用する状態を示している。
【図３】本発明の第二の実施例による電子カメラを側面から見た縦断面図で、ビューファインダモードで使用する状態を示している。
【図４】本発明の第二の実施例による電子カメラを側面から見た縦断面図で、プロジェクタモードで使用する状態を示している。
【図５】従来の表示装置を側面から見た縦断面図で、ビューファインダモードで使用する状態を示している。
【図６】従来の表示装置を側面から見た縦断面図で、プロジェクタモードで使用する状態を示している。
【発明を実施するための形態】
【実施例１】
【００２３】
以下、図面を用いて本発明の実施形態を説明する。図１は本発明による電子カメラを側面から見た縦断面図で、ビューファインダモードで使用する状態を示している。図２は本発明による電子カメラを側面から見た断面図で、プロジェクタモードで使用する状態を示している。この実施例による電子カメラでは、カメラ本体１にビューファインダ筐体２が着脱可能に搭載されている。カメラ本体１には、撮像を行うためのカメラレンズ１１と、撮像された画像等を表示する液晶バックモニター３が設けられている。また、カメラ本体１には、撮像された画像を表示する表示部４と、表示部４により表示された画像を画像光としてカメラ本体１の外部へ出射させる窓部８が設けられている。ビューファインダ筐体２には、表示部４から出射された画像光を筐体内部へ入射させる窓部８と、窓部８から入射した画像光を所定の方向へ反射させるミラー５と、ミラー５から反射された画像光を拡大して外部へ出射させるレンズ６と、ビューファインダモードとプロジェクタモードを切り替えるモード選択部７とが設けられている。
【００２４】
ビューファインダ筐体２のレンズ６は接眼レンズと投射レンズとして共用（兼用）されているが、ビューファインダ筐体２へ着脱可能とされ、用途によりレンズ倍率等が異なるものへ交換することができるようになっていても良い。なお、レンズ６はビューファインダ筐体２から外部へ画像光を出射させる窓部としても機能する。
【００２５】
ミラー５はカメラ本体１の窓部８から入射した画像光をレンズ６へ案内するものであるが、それと同様の機能を有するその他の光学系と置き換えることが可能であり、そのような光学系としては例えば導光板が挙げられる。
【００２６】
カメラ本体１のカメラレンズ１１は撮影状況に応じレンズの焦点調整等が可能である。また、カメラ本体１に対してレンズ自体の着脱も可能となっており、広角レンズや望遠レンズへの交換も可能である。
【００２７】
カメラ本体１に設けられた液晶バックモニター３では、撮影中の画像や保存された画像、画像光のコントラスト等、ビューファインダモードとプロジェクタモードに関する情報（どちらのモードが選択されているか等）、光源の光量などの様々な情報を確認することができる。液晶バックモニター３で得られた情報を基に設定を変更する場合には、カメラ本体１に設けられたボタンを押下する操作やタッチパネルとして構成された液晶バックモニター３自体を押下する操作を行うことで、情報の操作および決定をすることができる。
【００２８】
カメラ本体１内部の表示部４は例えば液晶モジュールで構成されており、液晶モジュールは、例えば、二種類の基板を重ねあわせその間隙に液晶を注入した液晶パネルと、液晶パネルに駆動信号の供給を行う回路基板と、光源とにより構成される。光源は各モードで共用される単一のものとなっており、ビューファインダ筐体２のモード選択部７がカメラ本体１に係合された位置によって光源の輝度等が各モードに適した状態へ自動的にまたはボタン操作等により手動で変更できるようになっている。特に光源の輝度はプロジェクタモードの場合の方がビューファインダモードの場合よりも高くなるように変更できるようになっている。表示部４にはカメラレンズ１１を介して撮影された像が画像として映し出され、それと同じ画像が液晶バックモニター３にも表示される。表示部４の液晶パネルとカメラ本体１の液晶バックモニター３は反射型液晶パネルと透過型液晶パネルのいずれでも良く、ＯＬＥＤなどの自発光タイプの表示パネルでも良い。表示部４の光源は各モードで共用されないビューファインダモード専用の光源とプロジェクタモード専用の光源でも良い。
【００２９】
窓部８は画像光を通過させることが可能な開口または透明部材(ガラス、プラスチック等)で構成されるが、各筐体内部へのゴミ等の侵入を防止する意味では透明部材で構成されることが望ましい。カメラ本体１の窓部８とビューファインダ筐体２の窓部８は互いに密着していることが望ましく、その場合にはそれらの間から画像光が漏れたりゴミ等が侵入することを防止することができる。カメラ本体１の窓部８とビューファインダ筐体２の窓部８との間には窓部８を取り囲むように筒状の遮光部材が設けられていても良く、その場合にも窓部８を互いに密着させた場合と同様の効果を得ることができる。その遮光部材はカメラ本体１またはビューファインダ筐体２と一体的に形成されていても良く、また、ビューファインダ筐体２をカメラ本体１に固定する固定部として機能しても良く、また、モード選択部７として機能しても良い。
【００３０】
モード選択部７はカメラ本体１にビューファインダ筐体２を固定する固定部としても使用することができる。また、モード選択部７はビューファインダ筐体２をカメラ本体１の上部に対して任意の方向（水平方向、垂直方向）へ連続的または段階的に回転させる回転機構を有していてもよく、その場合には表示部４と窓部８とミラー５とレンズ６との間で光軸のずれ等が許容される範囲でビューファインダ筐体２を任意の位置へ回転させることができる。ビューファインダ筐体２を回転させることにより光軸が乱れ、画像が正常に表示できない場合にも、画像の歪み等を電気的又は光学的に補正する機能を備えていれば画像を正常に表示することができる。また、モード選択部７を回転軸とする場合には、モード選択部７は窓部８にできるだけ近い位置に配置されていることが望ましく、その場合にはビューファインダ筐体２を回転させた際の光軸のずれ等の影響を少なくすることができる。なお、回転機構はモード選択部７とは別体としてビューファインダ筐体２とカメラ本体１との間に設けられていても良い。
【００３１】
カメラ本体１のカメラレンズ１１を介して撮影された像は表示部４から画像光として出射され、カメラ本体１の窓部８とビューファインダ筐体２の窓部８とを通じてビューファインダ筐体２の内部へ入射し、ミラー５でレンズ６へ向かって反射され、レンズ６で拡大されて外部へ出射される。
【００３２】
電子カメラをビューファインダモードで使用する場合には、図１に示すようにビューファインダ筐体２のレンズ６が液晶バックモニター３側となるようにカメラ本体１の上部へビューファインダ筐体２を装着する。その際にビューファインダ筐体２のモード選択部７をカメラ本体１の所定の位置へ係合させることによりカメラ本体１がモードを認識し、ビューファインダモードへ自動的に切り替わる。ビューファインダモードへ切り替わると、表示部４から出射される画像光の光学的特性（輝度、コントラスト等）がこのモードに適した状態へ自動的に調節される。例えば画像光の輝度がプロジェクタモードの場合よりも低くなるように自動的に調節される。カメラ本体１の表示部４から出射された画像光は所定の経路をたどってビューファインダ筐体２のレンズ６から外部へ出射され、レンズ６に接眼した観察者により観察される。
【００３３】
電子カメラをプロジェクタモードで使用する場合には、図１に示すようにビューファインダ筐体２のレンズ６がカメラレンズ１１側となるようにカメラ本体１の上部へビューファインダ筐体２を装着する。その際にビューファインダ筐体２のモード選択部７をカメラ本体１の所定の位置へ係合させることによりカメラ本体１がモードを認識し、プロジェクタモードへ自動的に切り替わる。プロジェクタモードへ切り替わると、表示部４から出射される画像光の光学的特性（輝度、コントラスト等）がこのモードに適した状態へ自動的に調節される。例えば画像光の輝度がビューファインダモードの場合よりも高くなるように自動的に調節される。カメラ本体１の表示部４から出射された画像光は所定の経路をたどってビューファインダ筐体２のレンズ６から外部へ出射され、スクリーン等に投影された状態で観察者により観察される。
【００３４】
この実施例では、ビューファインダ筐体２をそのままプロジェクタ筐体としても使用（兼用）しているが、ビューファインダ筐体とプロジェクタ筐体を別々に構成し、モードに応じてそれぞれをカメラ本体１に付け替えるようにすることも可能である。また、その場合において、ビューファインダ筐体には接眼レンズを組み込むことができ、プロジェクタ筐体には投射レンズを組み込むことができるが、接眼レンズと投射レンズはそれぞれの筐体に対して交換可能であっても良い。
【００３５】
この実施例によれば、ビューファインダ筐体２の向きをカメラ本体１の上部に対して水平方向へ変更するだけでビューファインダモードとプロジェクタモードを容易に切り替えることができる。
【実施例２】
【００３６】
図３は本発明の第二の実施例による電子カメラを側面から見た縦断面図で、ビューファインダモードで使用する状態を示している。図４は本発明の第二の実施例による電子カメラを側面から見た縦断面図で、プロジェクタモードで使用する状態を示している。この実施例では、接眼レンズが組み込まれたビューファインダ筐体と投射レンズが組み込まれたプロジェクタ筐体とが一体的に構成され、モードに応じて筐体の上下を反転させてカメラ本体に付け替えることができるようになっている。
【００３７】
具体的には、図３、４に示すように、ビューファインダ筐体とプロジェクタ筐体とが一体化された複合ビューファインダ筐体２０が、その上下を反転させてカメラ本体１の上部に付け替えることができるようになっている。複合ビューファインダ筐体２０には、その長手方向の一端側に接眼レンズ２１が設けられ、それとは反対の他端側に投射レンズ２２が設けられ、接眼レンズ２１と投射レンズとの間に両面ミラー９が光軸に対して傾斜するように設けられ、両面ミラー９の二つの反射面とそれぞれ対向する位置に窓部８が設けられ、二つの窓部８の一方を覆うように遮光カバー１０が設けられ、窓部８が設けられた側の外面のそれぞれにモード選択部７が設けられている。複合ビューファインダ筐体２０は全体として両面ミラー９を中心とする概ね回転対称な構造を有している。
【００３８】
複合ビューファインダ筐体２０の外面のうち一方の窓部８が設けられた側の面と他方の窓部８が設けられた側の面はそれぞれカメラ本体１の上部に着脱可能となっている。複合ビューファインダ筐体２０の外面のうち一方の窓部８が設けられた側の面がカメラ本体１の上部に取り付けられた状態において、一方の窓部８はカメラ本体１の窓部８と対向し、他方の窓部８が設けられた側の面がカメラ本体１の上部に取り付けられた状態において、他方の窓部８はカメラ本体１の窓部８と対向するようになっている。遮光カバー１０は複合ビューファインダ筐体２０の一方の窓部８がカメラ本体１の窓部８と対向している場合には他方の窓部８を覆い、複合ビューファインダ筐体２０の他方の窓部８がカメラ本体１の窓部８と対向している場合には一方の窓部８を覆うようになっている。遮光カバー１０は複合ビューファインダ筐体２０の窓部８に対して着脱可能なカバーまたは開閉可能なシャッターとなっている。遮光カバー１０は各モードにおいて使用していない窓部８を外部から遮光または保護するものであるが、窓部８を外部から遮光する必要が無い場合には遮光機能は無くても良く、特に要求されない場合には遮光カバー１０は無くても良い。
【００３９】
なお、実施例１と同様の構成については実施例２においても同様の変形等が可能であり、例えば、複合ビューファインダ筐体２０はカメラ本体１の上部に対して水平方向や垂直方向へ回転可能であっても良い。
【００４０】
カメラ本体１のカメラレンズ１１を介して撮影された像は表示部４から画像光として出射され、モードに応じてカメラ本体１の窓部８とビューファインダ筐体２の二つの窓部８のうち何れか一方とを通じて複合ビューファインダ筐体２０の内部へ入射し、両面ミラー９の二つの反射面のうち何れか一方で接眼レンズ２１または投射レンズ２２へ向かって反射され、接眼レンズ２１または投射レンズ２２で拡大されて外部へ出射される。
【００４１】
カメラ本体１をビューファインダモードで使用する場合には、図３に示すように複合ビューファインダ筐体２０の一方の窓部８がカメラ本体１の窓部８と対向するようにカメラ本体１の上部へ複合ビューファインダ筐体２０を装着する。その際に複合ビューファインダ筐体２０の一方のモード選択部７をカメラ本体１の所定の位置へ係合させることによりカメラ本体１がモード変更を認識し、ビューファインダモードへ自動的に切り替わる。ビューファインダモードへ切り替わると、表示部４から出射される画像光の光学的特性（輝度、コントラスト等）がこのモードに適した状態へ自動的に調節される。例えば画像光の輝度がプロジェクタモードの場合よりも低くなるように自動的に調節される。カメラ本体１の表示部４から出射された画像光は所定の経路をたどって複合ビューファインダ筐体２０の接眼レンズ２１から外部へ出射され、接眼レンズ２１に接眼した観察者により観察される。
【００４２】
電子カメラをプロジェクタモードで使用する場合には、図４に示すように複合ビューファインダ筐体２０の他方の窓部８がカメラ本体１の窓部８と対向するようにカメラ本体１の上部へ複合ビューファインダ筐体２０を装着する。その際に複合ビューファインダ筐体２０の他方のモード選択部７をカメラ本体１の所定の位置へ係合させることによりカメラ本体１がモード変更を認識し、プロジェクタモードへ自動的に切り替わる。プロジェクタモードへ切り替わると、表示部４から出射される画像光の光学的特性（輝度、コントラスト等）がこのモードに適した状態へ自動的に調節される。例えば画像光の輝度がビューファインダモードの場合よりも高くなるように自動的に調節される。カメラ本体１の表示部４から出射された画像光は所定の経路をたどって複合ビューファインダ筐体２０の投射レンズ２２から外部へ出射され、スクリーン等に投影された状態で観察者により観察される。
【００４３】
この実施例によれば、複合ビューファインダ筐体２をカメラ本体１の上部に対して上下反転させるだけでビューファインダモードとプロジェクタモードを容易に切り替えることができ、さらに接眼レンズと投射レンズも容易に切り替えることができる。
【産業上の利用可能性】
【００４４】
本発明は、電子カメラに限らず、撮像機能の無い表示装置にも適用することが可能である。
【符号の説明】
【００４５】
１    カメラ本体
２    ビューファインダ筐体
３    液晶バックモニター
４    表示部
５    ミラー
６    レンズ
７    モード選択部
８    窓部
９    両面ミラー
１０  遮光カバー
１１  カメラレンズ
１２  光源部
１４  偏光板
２０  複合ビューファインダ筐体
２１  接眼レンズ
２２  投射レンズ
４１  透過型液晶素子
４２  反射ミラー
【図１】
2018173569.tif 000003
【図２】
2018173569.tif 000004
【図３】
2018173569.tif 000005
【図４】
2018173569.tif 000006
【図５】
2018173569.tif 000007
【図６】
2018173569.tif 000008